(57)【要約】【課題】トランスデューサプロテクタの濡れを正確に検出する方法を提供すること。【解決手段】〈１〉送液バルブＰＶとエアーバルブＡＶはともに閉塞状態にして、送液ポンプＰＭを正または逆回転させることにより、ハウジング外側２ＯＵＴのエアーラインＡＬ／ＯＵＴからハウジング内側２ＩＮのエアーラインＡＬ／ＩＮのエアーバルブＡＶの配置位置までを陽圧または陰圧とするステップ、〈２〉圧力センサＰＳで圧力の変化が検出されなかった場合、エアーバルブＡＶを開放状態にしてエアーポンプＰＭＡを正または逆回転させることにより、エアーラインＡＬ／ＩＮの圧力センサＰＳの接続口ＰＳ◎／２とエアーポンプＰＭＡの間までを陽圧または陰圧とするステップ、〈３〉圧力センサＰＳで当該陽圧または陰圧を検出することにより、トランスデューサプロテクタＴＰの濡れを確認するステップを含む。【選択図】図２
2018094368.tif 000002
【特許請求の範囲】
【請求項１】
ハウジング（２）の外側（２ＯＵＴ）に回路（Ｌ）を装着し、当該回路（Ｌ）の途中に送液バルブ（ＰＶ）と送液ポンプ（ＰＭ）を設け、
当該送液バルブ（ＰＶ）と当該送液ポンプ（ＰＭ）との間に、内部にトランスデューサプロテクタ（ＴＰ）を配置したエアーライン（ＡＬ／ＯＵＴ）を設け、
当該エアーライン（ＡＬ／ＯＵＴ））は一端部に圧力センサ（ＰＳ）の接続口（ＰＳ◎／ＡＬ／ＯＵＴ）を接続し、
ハウジング（２）は圧力センサ（ＰＳ）の接続口（ＰＳ◎／２）を有し、
ハウジング（２）は内側（２ＩＮ）にエアーライン（ＡＬ／ＩＮ）を配置し、
当該エアーライン（ＡＬ／ＩＮ）の一端部は前記圧力センサ（ＰＳ）の接続口（ＰＳ◎／２）に接続し、
当該エアーライン（ＡＬ／ＩＮ）は途中にエアーバルブ（ＡＶ）とエアーポンプ（ＰＭＡ）を設け、
前記エアーライン（ＡＬ／ＩＮ）は接続口（ＰＳ◎／２）とエアーバルブ（ＡＶ）の間に圧力測定ライン（ＰＬ）を介して圧力センサ（ＰＳ）を接続し、
前記当該エアーライン（ＡＬ／ＩＮ）は、前記圧力センサ（ＰＳ）の接続口（ＰＳ◎／２）と前記接続口（ＰＳ◎／ＡＬ／ＯＵＴ）を介して前記エアーライン（ＡＬ／ＯＵＴ）と連通し、
以上の各部材を有する血液浄化装置（１、１０１、２０１、３０１）において気密試験を行うに際して、
〈１〉前記送液バルブ（ＰＶ）と前記エアーバルブ（ＡＶ）はともに閉塞状態にして、送液ポンプ（ＰＭ）を正または逆回転させることにより、ハウジング外側（２ＯＵＴ）のエアーライン（ＡＬ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記圧力センサ（ＰＳ）で圧力の変化が検出されなかった場合、エアーバルブＡＶを開放状態にして前記エアーポンプ（ＰＭＡ）を正または逆回転させることにより、前記エアーライン（ＡＬ／ＩＮ）の前記圧力センサ（ＰＳ）の接続口（ＰＳ◎／２）とエアーポンプ（ＰＭＡ）の間までを陽圧または陰圧とするステップ、      
〈３〉前記圧力センサ（ＰＳ）で当該陽圧または陰圧を検出することにより、トランスデューサプロテクタ（ＴＰ）の濡れを確認するステップ、
以上の〈１〉から〈３〉のステップを含むことを特徴とする、血液浄化装置のトランスデューサプロテクタ（１）の濡れを検知する方法。
【請求項２】
請求項１に記載の血液浄化装置（１、１０１、２０１、３０１）において、
回路（Ｌ）は、血液導入回路（Ｌｂｉ）、返血回路（Ｌｂｔｒ）、ろ液送出回路（Ｌｆｏ）、透析液導入回路（Ｌｄｉ）、透析液導出回路、補液導入回路（Ｌｆｒｉ）のいずれかであり、
送液バルブ（ＰＶ）は、血液導入バルブ（ＰＶｂｉ）、返血液バルブ（ＰＶｂｔｒ）、ろ液送出バルブ、透析液導入バルブ、透析液導出バルブ、補液導入バルブ（ＰＶｆｒｉ）、洗浄液排出バルブのいずれかであり、
送液ポンプ（ＰＭ）は、血液導入ポンプ（ＰＭｂｉ）、ろ液送出ポンプ（ＰＭｆｏ）、透析液導入ポンプ（ＰＭｄｉ）、透析液導出ポンプ、補液導入ポンプ（ＰＭｆｒｉ）のいずれかであり、
圧力センサ（ＰＳ）は、ろ過圧の圧力センサ（ＰＳｆｏ）、血液入口圧の圧力センサ（ＰＳｂｉ）、返血圧の圧力センサ（ＰＳｂｔｒ）、血漿入口圧の圧力センサ、透析液入口圧の圧力センサ、透析液出口圧の圧力センサ、補液の圧力センサ（ＰＳｆｒｉ）のいずれかである、
ことを特徴とする請求項１に記載の血液浄化装置のトランスデューサプロテクタ（ＴＰ）の濡れを検知する方法。
【請求項３】
請求項１から請求項２に記載の血液浄化装置（１０１）のトランスデューサプロテクタ（ＴＰ）の濡れを検知する方法において、
〈１〉補液導入バルブ（ＰＶｆｒｉ）とエアーバルブ（ＡＶ）はともに閉塞状態にして、補液導入ポンプ（ＰＭｆｒｉ）を正または逆回転させることにより、ハウジング外側（２ＯＵＴ）のエアーライン（ＡＬｍｃ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記圧力センサ（ＰＳ）で圧力の変化が検出されなかった場合、エアーバルブ（ＡＶ）を開放状態にして前記エアーポンプ（ＰＭＡ）を正または逆回転させることにより、エアーライン（ＡＬ／ＩＮ）の補液圧力センサ（ＰＳｆｒｉ）の接続口（ＰＳ◎／２）とエアーポンプ（ＰＭＡ）の間までを陽圧または陰圧とするステップ、      
〈３〉前記補液圧力センサ（ＰＳｆｒｉ）で当該陽圧または陰圧を検出することにより、トランスデューサプロテクタの濡れを確認するステップ、
以上の〈１〉から〈３〉のステップを含むことを特徴とする、血液浄化装置のトランスデューサプロテクタ（ＴＰ）の濡れを検知する方法。
【請求項４】
請求項１から請求項２に記載の血液浄化装置（２０１）のトランスデューサプロテクタ（ＴＰ）の濡れを検知する方法において、
〈１〉血液導入バルブ（ＰＶｂｉ）とエアーバルブ（ＡＶ）はともに閉塞放態にして、血液導入ポンプ（ＰＭｂｉ）を正または逆回転させることにより、ハウジング外側（２ＯＵＴ）のエアーライン（ＡＬ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記血液入口圧力センサ（ＰＳｂｉ）で圧力の変化が検出されなかった場合、エアーバルブ（ＡＶ）を開放状態にして前記エアーポンプ（ＰＭＡ）を正または逆回転させることにより、エアーライン（ＡＬ／ＩＮ）の血液入口圧力センサ（ＰＳｂｉ）の接続口（ＰＳ◎／２）とエアーポンプ（ＰＭＡ）の間までを陽圧または陰圧とするステップ、      
〈３〉前記血液入口圧力センサ（ＰＳｂｉ）で当該陽圧または陰圧を検出することにより、トランスデューサプロテクタ（ＴＰ）の濡れを確認するステップ、
以上の〈１〉から〈３〉のステップを含むことを特徴とする、血液浄化装置のトランスデューサプロテクタ（ＴＰ）の濡れを検知する方法。
【請求項５】
請求項１から請求項２に記載の血液浄化装置（３０１）のトランスデューサプロテクタ（ＴＰ）の濡れを検知する方法において、
送液ポンプ（ＰＭ）として、血液導入ポンプ（ＰＭｂｉ）、ろ液送出ポンプ（ＰＭｆｏ）、透析液導入ポンプ（ＰＭｄｉ）及び補液導入ポンプ（ＰＭｆｒｉ）の４つの送液ポンプ（ＰＭ）を有し、
回路（Ｌ）として、血液導入回路（Ｌｂｉ）、返血回路（Ｌｂｔｒ）、ろ液送出回路（Ｌｆｏ）、透析液導入回路（Ｌｄｉ）及び補液導入回路（Ｌｆｒｉ）の複数の回路（Ｌ）を有し、
送液バルブ（ＰＶ）として、返血液バルブ（ＰＶｂｔｒ）を有し、
圧力センサ（ＰＳ）として、ろ過圧の圧力センサ（ＰＳｆｏ）、血液入口圧の圧力センサ（ＰＳｂｉ）及び返血圧の圧力センサ（ＰＳｂｔｒ）の３つのセンサ（ＰＳ）を有し、
エアーライン（ＡＬ／ＩＮ）は途中にエアーバルブ（ＡＶ）を設け、エアーライン（ＡＬ／ＩＮ）の一端部はエアーポンプ（ＰＭＡ）を設けたエアーライン（ＡＬａ）を接続し、
以上の各部材を有する血液浄化装置（３０１）において気密試験を行うに際して、
〈１〉前記４つの送液ポンプ［ＰＭ（ＰＭｂｉ、ＰＭｆｏ、ＰＭｄｉ、ＰＭｆｒｉ）］を全て閉じ、かつ返血バルブ（ＰＶｂｔｒ）を閉じて、ハウジング外側（２ＯＵＴ）の各回路［Ｌ（Ｌｂｉ、Ｌｂｔｒ、Ｌｆｒi、Ｌｆｏ、Ｌｄｉ）］及び各エアーライン［ＡＬ（ＡＬｂｉ／ＯＵＴ、ＡＬｆｏ／ＯＵＴ、ＡＬｂｔｒ／ＯＵＴ）］の通路を外部と遮断するステップ、
〈２〉前記ハウジング内側（２ＩＮ）の各エアーバルブ［ＡＶ（ＡＶｂｉ、ＡＶｆｏ、ＡＶｂｔｒ）］を閉じて、ハウジング内側２ＩＮの各エアーライン［ＡＬ（ＡＬｂi／ＩＮ、ＡＬｆｏ／ＩＮ、ＡＬｂｔｒ／ＩＮ）］を外部と遮断するステップ、
〈３〉前記４つの送液ポンプ［ＰＭ（ＰＭｂｉ、ＰＭｆｏ、ＰＭｄｉ、ＰＭｆｒｉ）］のうちから選ばれる一つの送液ポンプ（ＰＭ）を正または逆回転させて、前記外部と遮断したハウジング外側２ＯＵＴの各回路［Ｌ（Ｌｂｉ、Ｌｂｔｒ、Ｌｆｒi、Ｌｆｏ、Ｌｄｉ）］及び前記各エアーライン［ＡＬ（ＡＬｂｉ／ＯＵＴ、ＡＬｆｏ／ＯＵＴ、ＡＬｂｔｒ／ＯＵＴ）］からハウジング内側（２ＩＮ）の前記各エアーライン［ＡＬ（ＡＬｂi／ＩＮ、ＡＬｆｏ／ＩＮ、ＡＬｂｔｒ／ＩＮ）］内を陽圧または陰圧とするステップ、
〈４〉前記各圧力センサＰＳ（ＰＳｂｉ、ＰＳｆｏ、ＰＳｂｔｒ）の中から選ばれる１つの圧力センサ（ＰＳ※）で圧力の変化が検出されなかった場合、当該圧力の変化が検出されなかった圧力センサ（ＰＳ※）に隣接する前記各エアーバルブ［Ａ（ＡＶｂｉ、ＡＶｆｏ、ＡＶｂｔｒの中から選ばれる１つ）］を開放状態にして、エアーポンプＰＭＡを正または逆回転させることにより、
前記各回路［Ｌ（Ｌｂｔｒ、Ｌｆｏ、Ｌｄｉ）］及び前記各エアーライン［ＡＬ（ＡＬｂｉ／ＩＮ、ＡＬｆｏ／ＩＮ、ＡＬｂｔｒ／ＩＮ）］と前記各センサ［ＰＳ（ＰＳｂｉ、ＰＳｆｏ、ＰＳｂｔｒ）］の接続口とエアーポンプ（ＰＭＡ）の配置位置までを陽圧または陰圧とするステップ、
〈５〉前記圧力の変化が検出されなかった圧力センサ（ＰＳ※）で、当該陽圧または陰圧を検出することによりトランスデューサプロテクタ（ＴＰ）の濡れを確認するステップ、
以上の〈１〉から〈５〉のステップを含むことを特徴とする、血液浄化装置（３０１）のトランスデューサプロテクタ（ＴＰ）の濡れを検知する方法。
【発明の詳細な説明】
【技術分野】
【０００１】
本発明は、血液浄化装置に装着した回路に設けたトランスデューサプロテクタ（以下、「ＴＰ」と略記する場合がある。）の濡れを検知する方法に関するものである。本発明は、持続的血液浄化法（ＣＨＤＦ）、緩徐式血液ろ過透析法、腹水濾過濃縮再静注法（ＣＡＲＴ／ＡＳＣＴ）、二重ろ過型血漿交換法（ＤＦ）、単純血漿交換法（ＰＥ）、血漿吸着法（ＰＰ）、ＤＦサーモ法（ＤＦＴ）、限外濾過法（ＥＣＵＭ）、直接血液吸着法（ＤＨＰ）等の治療方法に使用される血液浄化装置に装着した回路に配置したトランスデューサプロテクタの濡れを検知する方法に使用することができる。
以下血液浄化装置の包括的なＴＰの濡れを検知する方法、持続的血液浄化法（ＣＨＤＦ）、緩徐式血液ろ過透析法に使用される血液浄化装置のＴＰの濡れを検知する方法の例を挙げて説明する。
【背景技術】
【０００２】
特許文献１は、血液浄化装置およびその回路接続不良の確認方法の発明を開示している。
特許文献１の血液浄化装置の血液回路には、トランスデューサプロテクタが設けられている。
トランスデューサプロテクタは、通気性を有し、かつ液体の通過を阻止する性質をもつメンブレンフィルタである。
血液浄化装置は、ハウジング内の圧力センサを使用して、回路内の圧力を監視する必要があるが、これには通気性を持ちハウジング内への液体流入を阻止するメンブレンフィルタでハウジング内を保護する必要がある。しかしＴＰは液体通過を阻止した以後は、通気性が喪失し、圧力監視が不可能となる。
【０００３】
前記した全ての治療方法に一般的に適用（使用）できる血液浄化装置２０１［ハウジング２の外側２ＯＵＴと内側２ＩＮから見た略式配線図の一部拡大図（概念図）］の場合について図１２の例を挙げて説明する。
血液浄化装置１は、ハウジング２の外側２ＯＵＴは回路Ｌを有し、当該回路Ｌは途中に送液バルブＰＶと送液ポンプＰＭを設けている。
当該送液バルブＰＶと送液ポンプＰＭとの間に、内部にトランスデューサプロテクタ（ＴＰ）を配置したエアーラインＡＬ／ＯＵＴを設け、当該エアーラインＡＬ／ＯＵＴの一端部（回路Ｌ側とは反対側の端部）に、圧力センサＰＳの接続口ＰＳ◎／ＡＬ／ＯＵＴを接続している。トランスデューサプロテクタは、エアーラインＡＬ／ＯＵＴの下流と圧力センサＰＳの接続口ＰＳ◎／ＡＬ／ＯＵＴとの間に配置している。
エアーラインＡＬ／ＯＵＴは圧力センサＰＳの接続口ＰＳ◎／ＡＬ／ＯＵＴを介して、ハウジング２の内側２ＩＮと連通している。
【０００４】
ハウジング２は圧力センサＰＳの接続口ＰＳ◎／２を有し、ハウジング２の内側２ＩＮにはエアーラインＡＬ／ＩＮを配置している。
エアーラインＡＬ／ＩＮの一端部は接続口ＰＳ◎／２に接続し、他方の一端部は大気開放部となっている。
エアーラインＡＬ／ＩＮは、前記圧力センサＰＳの接続口ＰＳ◎／２と前記接続口ＰＳ◎／ＡＬ／ＯＵＴを介して前記エアーラインＡＬ／ＯＵＴと連通している。
エアーラインＡＬ／ＩＮの途中にエアーバルブＡＶとエアーポンプＰＭＡを設けている。
エアーラインＡＬ／ＩＮの接続口ＰＳ◎／２とエアーバルブＡＶの間に圧力測定ラインＰＬを介して圧力センサＰＳを接続している。
【０００５】
図１２の血液浄化装置２０１において、気密試験を行うに際して、送液バルブＰＶとエアーバルブＡＶはともに閉塞状態にして、送液ポンプＰＭを逆回転させると、回路Ｌの送液バルブＰＶと送液ポンプＰＭとの間、エアーラインＡＬ／ＯＵＴから圧力センサＰＳの接続口ＰＳ◎／ＡＬ／ＯＵＴ／２を経てエアーラインＡＬ／ＩＮのエアーバルブＡＶの配置位置までの間は陰圧となる。
正しい接続状態では、圧力センサＰＳまで、前記回路Ｌ及びエアーラインＡＬ／ＩＮ内の陰圧が伝わる。
ところが図１３のようにエアーラインＡＬ／ＯＵＴ側の接続口ＰＳ◎／ＡＬ／ＯＵＴと、エアーラインＡＬ／ＩＮの接続口ＰＳ◎／２とが外れていた場合、または図１４のように接続口ＰＳ◎／ＡＬ／ＯＵＴと接続口ＰＳ◎／２は正常に接続されていてもトランスデューサプロテクタＴＰが濡れていた場合は、エアーラインＡＬ／ＯＵＴ側が閉塞して、前記陰圧が圧力センサＰＳまで伝わらない。
【先行技術文献】
【特許文献】
【０００６】
【特許文献１】国際公開ＷＯ２００８／１５２８１０（特許請求の範囲、図１、［００２１］）
【発明の概要】
【発明が解決しようとする課題】
【０００７】
血液浄化装置においては、装着時にトランスデューサプロテクタＴＰを濡らしてしまったり、気密試験の際に液体が移動しトランスデューサプロテクタＴＰが濡れてしまう等が起こりうる。この場合トランスデューサプロテクタＴＰの圧力伝導機能が損なわれ、前記のように正常な圧力監視ができない。
気密試験では、圧力センサＰＳに変化がない場合は異常とみなすが、回路Ｌの気密が保たれないことが原因であるのか、トランスデューサプロテクタＴＰが濡れたことによる通気性の喪失が原因であるのか、作業者の見た目での判別が難しく、また装置での検出が不可能とういう問題があった。
【課題を解決するための手段】
【０００８】
そこで本発明者は、以上の課題を解決するために鋭意検討を重ねた結果、以下の発明に到達した。
［１］本発明は、ハウジング（２）の外側（２ＯＵＴ）に回路（Ｌ）を装着し、当該回路（Ｌ）の途中に送液バルブ（ＰＶ）と送液ポンプ（ＰＭ）を設け、
当該送液バルブ（ＰＶ）と当該送液ポンプ（ＰＭ）との間に、内部にトランスデューサプロテクタ（ＴＰ）を配置したエアーライン（ＡＬ／ＯＵＴ）を設け、
当該エアーライン（ＡＬ／ＯＵＴ））は一端部に圧力センサ（ＰＳ）の接続口（ＰＳ◎／ＡＬ／ＯＵＴ）を接続し、
ハウジング（２）は圧力センサ（ＰＳ）の接続口（ＰＳ◎／２）を有し、
ハウジング（２）は内側（２ＩＮ）にエアーライン（ＡＬ／ＩＮ）を配置し、
当該エアーライン（ＡＬ／ＩＮ）の一端部は前記圧力センサ（ＰＳ）の接続口（ＰＳ◎／２）に接続し、
当該エアーライン（ＡＬ／ＩＮ）は途中にエアーバルブ（ＡＶ）とエアーポンプ（ＰＭＡ）を設け、
前記エアーライン（ＡＬ／ＩＮ）は接続口（ＰＳ◎／２）とエアーバルブ（ＡＶ）の間に圧力測定ライン（ＰＬ）を介して圧力センサ（ＰＳ）を接続し、
前記当該エアーライン（ＡＬ／ＩＮ）は、前記圧力センサ（ＰＳ）の接続口（ＰＳ◎／２）と前記接続口（ＰＳ◎／ＡＬ／ＯＵＴ）を介して前記エアーライン（ＡＬ／ＯＵＴ）と連通し、
以上の各部材を有する血液浄化装置（１、１０１、２０１、３０１）において気密試験を行うに際して、
〈１〉前記送液バルブ（ＰＶ）と前記エアーバルブ（ＡＶ）はともに閉塞状態にして、送液ポンプ（ＰＭ）を正または逆回転させることにより、ハウジング外側（２ＯＵＴ）のエアーライン（ＡＬ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記圧力センサ（ＰＳ）で圧力の変化が検出されなかった場合、エアーバルブＡＶを開放状態にして前記エアーポンプ（ＰＭＡ）を正または逆回転させることにより、前記エアーライン（ＡＬ／ＩＮ）の前記圧力センサ（ＰＳ）の接続口（ＰＳ◎／２）とエアーポンプ（ＰＭＡ）の間までを陽圧または陰圧とするステップ、      
〈３〉前記圧力センサ（ＰＳ）で当該陽圧または陰圧を検出することにより、トランスデューサプロテクタ（ＴＰ）の濡れを確認するステップ、
以上の〈１〉から〈３〉のステップを含む血液浄化装置のトランスデューサプロテクタ（ＴＰ）の濡れを検知する方法を提供する。
［２］本発明は、［１］に記載の血液浄化装置（１、１０１、２０１、３０１）において、
回路（Ｌ）は、血液導入回路（Ｌｂｉ）、返血回路（Ｌｂｔｒ）、ろ液送出回路（Ｌｆｏ）、透析液導入回路（Ｌｄｉ）、透析液導出回路、補液導入回路（Ｌｆｒｉ）のいずれかであり、
送液バルブ（ＰＶ）は、血液導入バルブ（ＰＶｂｉ）、返血液バルブ（ＰＶｂｔｒ）、ろ液送出バルブ、透析液導入バルブ、透析液導出バルブ、補液導入バルブ（ＰＶｆｒｉ）、洗浄液排出バルブのいずれかであり、
送液ポンプ（ＰＭ）は、血液導入ポンプ（ＰＭｂｉ）、ろ液送出ポンプ（ＰＭｆｏ）、透析液導入ポンプ（ＰＭｄｉ）、透析液導出ポンプ、補液導入ポンプ（ＰＭｆｒｉ）のいずれかであり、
圧力センサ（ＰＳ）は、ろ過圧の圧力センサ（ＰＳｆｏ）、血液入口圧の圧力センサ（ＰＳｂｉ）、返血圧の圧力センサ（ＰＳｂｔｒ）、血漿入口圧の圧力センサ、透析液入口圧の圧力センサ、透析液出口圧の圧力センサ、補液の圧力センサ（ＰＳｆｒｉ）のいずれかである［１］に記載の血液浄化装置のトランスデューサプロテクタ（ＴＰ）の濡れを検知する方法を提供する。
【０００９】
［３］本発明は、［１］から［２］に記載の血液浄化装置（１０１）のトランスデューサプロテクタ（ＴＰ）の濡れを検知する方法において、
〈１〉補液導入バルブ（ＰＶｆｒｉ）とエアーバルブ（ＡＶ）はともに閉塞状態にして、補液導入ポンプ（ＰＭｆｒｉ）を正または逆回転させることにより、ハウジング外側（２ＯＵＴ）のエアーライン（ＡＬｍｃ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記圧力センサ（ＰＳ）で圧力の変化が検出されなかった場合、エアーバルブ（ＡＶ）を開放状態にして前記エアーポンプ（ＰＭＡ）を正または逆回転させることにより、エアーライン（ＡＬ／ＩＮ）の補液圧力センサ（ＰＳｆｒｉ）の接続口（ＰＳ◎／２）とエアーポンプ（ＰＭＡ）の間までを陽圧または陰圧とするステップ、      
〈３〉前記補液圧力センサ（ＰＳｆｒｉ）で当該陽圧または陰圧を検出することにより、トランスデューサプロテクタの濡れを確認するステップ、
以上の〈１〉から〈３〉のステップを含む血液浄化装置のトランスデューサプロテクタ（ＴＰ）の濡れを検知する方法を提供する。
［４］本発明は、［１］から［２］に記載の血液浄化装置（２０１）のトランスデューサプロテクタ（ＴＰ）の濡れを検知する方法において、
〈１〉血液導入バルブ（ＰＶｂｉ）とエアーバルブ（ＡＶ）はともに閉塞放態にして、血液導入ポンプ（ＰＭｂｉ）を正または逆回転させることにより、ハウジング外側（２ＯＵＴ）のエアーライン（ＡＬ／ＯＵＴ）からハウジング内側（２ＩＮ）のエアーライン（ＡＬ／ＩＮ）のエアーバルブ（ＡＶ）の配置位置までを陽圧または陰圧とするステップ、
〈２〉前記血液入口圧力センサ（ＰＳｂｉ）で圧力の変化が検出されなかった場合、エアーバルブ（ＡＶ）を開放状態にして前記エアーポンプ（ＰＭＡ）を正または逆回転させることにより、エアーライン（ＡＬ／ＩＮ）の血液入口圧力センサ（ＰＳｂｉ）の接続口（ＰＳ◎／２）とエアーポンプ（ＰＭＡ）の間までを陽圧または陰圧とするステップ、      
〈３〉前記血液入口圧力センサ（ＰＳｂｉ）で当該陽圧または陰圧を検出することにより、トランスデューサプロテクタ（ＴＰ）の濡れを確認するステップ、
以上の〈１〉から〈３〉のステップを含む血液浄化装置のトランスデューサプロテクタ（ＴＰ）の濡れを検知する方法を提供する。
【００１０】
［５］本発明は、［１］から［２］に記載の血液浄化装置（３０１）のトランスデューサプロテクタ（ＴＰ）の濡れを検知する方法において、
送液ポンプ（ＰＭ）として、血液導入ポンプ（ＰＭｂｉ）、ろ液送出ポンプ（ＰＭｆｏ）、透析液導入ポンプ（ＰＭｄｉ）及び補液導入ポンプ（ＰＭｆｒｉ）の４つの送液ポンプ（ＰＭ）を有し、
回路（Ｌ）として、血液導入回路（Ｌｂｉ）、返血回路（Ｌｂｔｒ）、ろ液送出回路（Ｌｆｏ）、透析液導入回路（Ｌｄｉ）及び補液導入回路（Ｌｆｒｉ）の複数の回路（Ｌ）を有し、
送液バルブ（ＰＶ）として、返血液バルブ（ＰＶｂｔｒ）を有し、
圧力センサ（ＰＳ）として、ろ過圧の圧力センサ（ＰＳｆｏ）、血液入口圧の圧力センサ（ＰＳｂｉ）及び返血圧の圧力センサ（ＰＳｂｔｒ）の３つのセンサ（ＰＳ）を有し、
エアーライン（ＡＬ／ＩＮ）は途中にエアーバルブ（ＡＶ）を設け、エアーライン（ＡＬ／ＩＮ）の一端部はエアーポンプ（ＰＭＡ）を設けたエアーライン（ＡＬａ）を接続し、
以上の各部材を有する血液浄化装置（３０１）において気密試験を行うに際して、
〈１〉前記４つの送液ポンプ［ＰＭ（ＰＭｂｉ、ＰＭｆｏ、ＰＭｄｉ、ＰＭｆｒｉ）］を全て閉じ、かつ返血バルブ（ＰＶｂｔｒ）を閉じて、ハウジング外側（２ＯＵＴ）の各回路［Ｌ（Ｌｂｉ、Ｌｂｔｒ、Ｌｆｒi、Ｌｆｏ、Ｌｄｉ）］及び各エアーライン［ＡＬ（ＡＬｂｉ／ＯＵＴ、ＡＬｆｏ／ＯＵＴ、ＡＬｂｔｒ／ＯＵＴ）］の通路を外部と遮断するステップ、
〈２〉前記ハウジング内側（２ＩＮ）の各エアーバルブ［ＡＶ（ＡＶｂｉ、ＡＶｆｏ、ＡＶｂｔｒ）］を閉じて、ハウジング内側２ＩＮの各エアーライン［ＡＬ（ＡＬｂi／ＩＮ、ＡＬｆｏ／ＩＮ、ＡＬｂｔｒ／ＩＮ）］を外部と遮断するステップ、
〈３〉前記４つの送液ポンプ［ＰＭ（ＰＭｂｉ、ＰＭｆｏ、ＰＭｄｉ、ＰＭｆｒｉ）］のうちから選ばれる一つの送液ポンプ（ＰＭ）を正または逆回転させて、前記外部と遮断したハウジング外側２ＯＵＴの各回路［Ｌ（Ｌｂｉ、Ｌｂｔｒ、Ｌｆｒi、Ｌｆｏ、Ｌｄｉ）］及び前記各エアーライン［ＡＬ（ＡＬｂｉ／ＯＵＴ、ＡＬｆｏ／ＯＵＴ、ＡＬｂｔｒ／ＯＵＴ）］からハウジング内側（２ＩＮ）の前記各エアーライン［ＡＬ（ＡＬｂi／ＩＮ、ＡＬｆｏ／ＩＮ、ＡＬｂｔｒ／ＩＮ）］内を陽圧または陰圧とするステップ、
〈４〉前記各圧力センサＰＳ（ＰＳｂｉ、ＰＳｆｏ、ＰＳｂｔｒ）の中から選ばれる１つの圧力センサ（ＰＳ※）で圧力の変化が検出されなかった場合、当該圧力の変化が検出されなかった圧力センサ（ＰＳ※）に隣接する前記各エアーバルブ［Ａ（ＡＶｂｉ、ＡＶｆｏ、ＡＶｂｔｒの中から選ばれる１つ）］を開放状態にして、エアーポンプＰＭＡを正または逆回転させることにより、
前記各回路［Ｌ（Ｌｂｔｒ、Ｌｆｏ、Ｌｄｉ）］及び前記各エアーライン［ＡＬ（ＡＬｂｉ／ＩＮ、ＡＬｆｏ／ＩＮ、ＡＬｂｔｒ／ＩＮ）］と前記各センサ［ＰＳ（ＰＳｂｉ、ＰＳｆｏ、ＰＳｂｔｒ）］の接続口とエアーポンプ（ＰＭＡ）の配置位置までを陽圧または陰圧とするステップ、
〈５〉前記圧力の変化が検出されなかった圧力センサ（ＰＳ※）で、当該陽圧または陰圧を検出することによりトランスデューサプロテクタ（ＴＰ）の濡れを確認するステップ、
以上の〈１〉から〈５〉のステップを含む血液浄化装置（３０１）のトランスデューサプロテクタ（ＴＰ）の濡れを検知する方法を提供する。
【発明の効果】
【００１１】
本発明の方法で、トランスデューサプロテクタＴＰの濡れを正確に検知することにより、交換必要な部分が明確になり無駄な血液回路の交換、トランスデューサプロテクタＴＰの交換をなくすことにより医療経済性を向上することができる。不具合部分を自動特定することにより、省力化と時間短縮を図ることができる。また安全性の担保に貢献できる。
【図面の簡単な説明】
【００１２】
【図１】図１は血液浄化装置１をハウジング２の外側２ＯＵＴと内側２ＩＮから見た略式配線図の一部拡大図である。ＴＰ外れ／圧力変化なしの状態を例示している。
【図２】図２は図１において、ＴＰ濡れ／圧力変化発生の状態を例示している。
【図３】図３はその他の実施例の血液浄化装置１０１［持続的血液浄化法（ＣＨＤＦ）に使用］をハウジング２の外側２ＯＵＴと内側２ＩＮから見た略式配線図の一部拡大図である。正常な接続状態を例示している。
【図４】図４は図３において、圧力検知されない原因、ＴＰ外れの状態を例示している。
【図５】図５は図３において、圧力検知されない原因、ＴＰ濡れの状態を例示している。
【図６】図６は図３において、ＴＰ外れ／圧力変化なしの状態を例示している。
【図７】図７は図３において、ＴＰ濡れ／圧力変化発生の状態を例示している。
【図８】図８はその他の実施例の血液浄化装置２０１（緩徐式血液ろ過透析法に使用）をハウジング２の外側２ＯＵＴと内側２ＩＮから見た略式配線図の一部拡大図である。
【図９】図９はその他の実施例の血液浄化装置３０１（一般的なＣＨＤＦ、ＣＡＲＴ／ＡＳＣＴに使用）をハウジング２の外側２ＯＵＴと内側２ＩＮから見た略式配線図の一部拡大図である。
【図１０】図１０は図９の各回路、エアーラインに圧力を加えている状態を示している。
【図１１】図１１は図９のＴＰ濡れ／圧力変化発生の状態を例示している。
【図１２】図１２は血液浄化装置１をハウジング２の外側２ＯＵＴと内側２ＩＮから見た略式配線図の一部拡大図である。正常な接続状態を例示している。
【図１３】図１３は図１２において、圧力検知されない原因、ＴＰ外れの状態を例示している。
【図１４】図１４は図１２において、圧力検知されない原因、ＴＰ濡れの状態を例示している。
【発明を実施するための形態】
【００１３】
以下、図面を参照しながら本発明を詳細に説明する。
以下、背景技術、本発明の実施例の血液浄化装置に装着した回路等の構成部材の意味を明確に説明するため、次の定義をおく。
Ｌは回路、Ｃはドリップチャンバ、ＭＣは計量チャンバ、ＰＶは送液バルブ、ＰＭは送液ポンプ、ＰＳは圧力センサ、Ｐは圧力、ＡＶはエアーバルブ、ＡＬはエアーライン、Ｂ（またはｂ）は血液、Ｄ（またはｄ）は透析液、ｆはろ液、ＦＲ（またはｆｒ）は補液、I（またはｉ）は入口、導入、Ｏ（またはｏ）は出口、送出、導出を意味する。
例えば血液導入回路はＬｂｉのように符号を付けた。
例えば血液導入回路Ｌｂｉに配置した送液ポンプＰＭは、血液導入ポンプＰＭｄｉの名称と符号を付けた。
【００１４】
回路Ｌとは、血液導入回路Ｌｂｉ、返血回路Ｌｂｔｒ、ろ液送出回路Ｌｆｏ、透析液導入回路Ｌｄｉ、透析液導出回路、補液導入回路Ｌｆｒｉを含む。
送液バルブＰＶとは、血液導入バルブＰＶｂｉ、返血液バルブＰＶｂｔｒ、ろ液送出バルブ、透析液導入バルブ、透析液導出バルブ、補液導入バルブＰＶｆｒｉ、洗浄液排出バルブの各バルブを含む。
送液ポンプＰＭとは、血液導入ポンプＰＭｂｉ、ろ液送出ポンプＰＭｆｏ、透析液導入ポンプ、透析液導出ポンプＰＭｄｉ、補液導入ポンプＰＭｆｒｉの各ポンプを含む。
圧力センサＰＳとは、ろ過圧の圧力センサＰＳｆｏ、血液入口圧の圧力センサＰＳｂｉ、返血圧の圧力センサＰＳｂｔｒ、血漿入口圧の圧力センサ、透析液入口圧の圧力センサ、透析液出口圧の圧力センサ、補液の圧力センサＰＳｆｒｉの各圧力センサを含む。
チャンバとは、計量チャンバ、ドリップチャンバを含む。
計量チャンバとは、補液計量チャンバＭＣｆｒｉ、透析液計量チャンバ、ろ液計量チャンバを含む。
ドリップチャンバとは血液ドリップチャンバＣｂｉ、返血チャンバＣｂｔｒ、ろ液チャンバを含む。
【００１５】
エアーラインＡＬとは、各エアーラインＡＬｂｉ、ＡＬｆｏ、ＡＬｂｉ、ＡＬｂｔｒを含む。
各エアーラインＡＬｂｉ、ＡＬｆｏ、ＡＬｂｉ、ＡＬｂｔｒ単に「ＡＬ」と記載する場合がある。
ハウジング２の外側２／ＯＵＴのエアーラインＡＬには、／ＯＵＴ、ハウジング２の内側２／ＩＮのエアーラインＡＬには、／ＩＮの符号を付記した。
ハウジング２の外側２／ＯＵＴのエアーラインＡＬはＡＬ／ＯＵＴ、ハウジング２の内側２／ＩＮのエアーラインＡＬはＡＬ／ＩＮと記載した。
さらにエアーラインＡＬｆｏの場合は、ＡＬｆｏ／ＯＵＴ、ＡＬｆｏ／ＩＮのように記載した。
エアーラインＡＬａはハウジング２の内側２ＩＮに配置したエアーラインで、前記各エアーラインＡＬｂｉ／ＩＮ、ＡＬｆｏ／ＩＮ、ＡＬｂｔｒ／ＩＮの下流側と繋がっているエアーラインである。エアーラインＡＬａは途中にエアーポンプＰＭＡを配置し、下流側の端部は大気開放部となっている。
トランスデューサプロテクタＴＰは、エアーラインＡＬ／ＯＵＴの途中（下流側）と圧力センサＰＳの接続口ＰＳ◎との間に配置する。
各エアーラインＡＬ／ＯＵＴに装着したトランスデューサプロテクタＴＰは、単に「ＴＰ」と記載する場合がある。ＴＰ／ＡＬ／ＯＵＴとはハウジング外側２ＯＵＴのエアーラインＡＬに装着したＴＰを意味する。例えばＴＰ／ＡＬｆｏは、エアーラインＡＬｆｏ／ＯＵＴに装着したＴＰを意味する。
各エアーラインＡＬ／ＯＵＴに装着したトランスデューサプロテクタＴＰは、ＴＰ／ＡＬ／ＯＵＴ、ＴＰ／ＡＬｍｃ／ＯＵＴ、ＴＰ／ＡＬｂｉ／ＯＵＴ、ＴＰ／ＡＬｆｏ／ＯＵＴ、ＴＰ／ＡＬｂｔｒ／ＯＵＴを含む。
符号の記載の煩雑化を回避するため、圧力センサと圧力センサの接続口は同じ符号ＰＳ、ＰＳｆｒｉ等を記載し、接続口は符号の後ろに◎を付し、図１から図８、図１２から図１４では、さらに◎の後ろにエアーラインＡＬ／ＯＵＴに装着した接続口には／ＡＬ／ＯＵＴ、ハウジング２に装着した接続口には／２を付した。
なお図９から図１１では記載を簡略化するために◎のみの記載とした。
また本発明では、図１から図９、図１１から図１４では、エアーポンプＰＭＡを逆回転（図１の例では、右回転／時計回り）させる場合は陰圧付与、（図示しないが）正回転（左回転／反時計回り）させる場合は陽圧付与を意味する。図１０では、透析液導入ポンプＰＭｄｉを正回転（左回転／反時計回り）させる場合は陰圧付与、逆回転（右回転／時計回り）させる場合は陽圧付与を意味する。
【００１６】
本発明は、前記段落［０００８］の［１］に記載の各部材を有する血液浄化装置（１、１０１、２０１）において、気密試験を行うに際して、
〈１〉送液バルブＰＶとエアーバルブＡＶはともに閉塞状態にして、送液ポンプＰＭを正または逆回転させることにより、エアーラインＡＬ／ＯＵＴからエアーラインＡＬ／ＩＮのエアーバルブＡＶの配置位置までを陽圧または陰圧とするステップ、
〈２〉圧力センサＰＳで圧力の変化が検出されなかった場合、エアーバルブＡＶを開放状態にしてエアーポンプＰＭＡを正または逆回転させることにより、エアーラインＡＬ／ＩＮの圧力センサＰＳの接続口ＰＳ◎／２とエアーポンプＰＭＡの間までを陽圧または陰圧とするステップ、      
〈３〉前記圧力センサＰＳで当該陽圧または陰圧を検出することにより、トランスデューサプロテクタＴＰ／ＡＬ／ＯＵＴの濡れを確認するステップ、
以上の〈１〉から〈３〉を含むステップにより血液浄化装置のトランスデューサプロテクタＴＰ／ＡＬ／ＯＵＴの濡れを検知することができる。
【００１７】
本発明を、図１２〜図１４に示した全ての治療方法に一般的に適用（使用）できる血液浄化装置１（回路Ｌの途中にエアーライン／ＯＵＴを設けた例）に適用して場合について説明する。
図１に例示するように、接続口ＰＳ◎／ＡＬ／ＯＵＴと接続口ＰＳ◎／２が外れていると、エアーポンプＰＭＡを逆回転させて、エアーラインＡＬ／ＩＮ内を陰圧にしても、エアーラインＡＬ／ＩＮ内の気密が保たれていないので、圧力センサＰＳで、圧力の変動は見られない。（エアーポンプＰＭＡを正回転させて、エアーラインＡＬ／ＩＮ内を陽圧にしても同様である。）
ところが接続口ＰＳ◎／ＡＬ／ＯＵＴと接続口ＰＳ◎／２が正常に接続され、ＴＰが濡れていた場合、エアーラインＡＬ／ＯＵＴは濡れにより通気性を喪失して閉塞しているのでエアーの通過は阻止され、気密性が高くなる。
【００１８】
そこで図２に例示するように
〈１〉送液バルブＰＶとエアーバルブＡＶはともに閉塞状態にして、送液ポンプＰＭを逆回転させることにより、ハウジング外側２ＯＵＴのエアーラインＡＬ／ＯＵＴからハウジング内側２ＩＮのエアーラインＡＬ／ＩＮのエアーバルブＡＶの配置位置までを陰圧とするステップ、
〈２〉圧力センサＰＳで圧力の変化が検出されなかった場合、エアーバルブＡＶを開放状態にしてエアーポンプＰＭＡを逆回転させることにより、エアーラインＡＬ／ＩＮの圧力センサＰＳの接続口ＰＳ◎／２とエアーポンプＰＭＡの間までを陰圧とするステップ、      
〈３〉圧力センサＰＳで当該陰圧を検出することにより、トランスデューサプロテクタの濡れを確認するステップ、
以上の〈１〉から〈３〉を含むステップにより血液浄化装置のトランスデューサプロテクタＴＰ／ＡＬ／ＯＵＴの濡れを検知することができる。（エアーポンプＰＭＡを正回転させて、エアーラインＡＬ／ＩＮ内を陽圧にしても同様である。）
【００１９】
次にその他の血液浄化装置１０１［回路Ｌの上流側に補液供給源ＦＲＳを接続し、回路Ｌ（補液導入回路Ｌｆｒｉ）の途中に補液計量チャンバＭＣｆｒｉを設けた例］に本発明を適用（使用）する例について説明する。
図３（血液浄化装置１をハウジング２の外側２ＯＵＴと内側２ＩＮから見た配線図の一部拡大図）に示すように、ハウジング２の外側２ＯＵＴは、補液供給源ＦＲＳに補液導入回路Ｌｆｒｉを接続し、当該補液導入回路Ｌｆｒｉは途中に補液導入バルブＰＶｆｒｉと補液導入ポンプＰＭｆｒiを設けている。
補液導入バルブＰＶｆｒｉと補液導入ポンプＰＭｆｒiとの間に分岐ラインＴＬＴを介して補液計量チャンバＭＣｆｒｉを設け、当該補液計量チャンバＭＣｆｒｉにエアーラインＡＬｍｃ／ＯＵＴを接続している。
【００２０】
エアーラインＡＬｍｃ／ＯＵＴの一端部（補液計量チャンバＭＣｆｒｉと反対側の端部、下流側）に圧力センサＰＳｆｒｉの接続口ＰＳｆｒｉ◎／ＡＬｍｃ／ＯＵＴを接続している。
トランスデューサプロテクタＴＰ／ＡＬｍｃ／ＯＵＴはエアーラインＡＬｍｃ／ＯＵＴの下流と接続口ＰＳｆｒｉ◎／ＡＬｍｃ／ＯＵＴとの間に配置している。
ハウジング２は、圧力センサＰＳｆｒｉの接続口ＰＳｆｒｉ◎／２を装着し、内側２ＩＮにエアーラインＡＬ／ＩＮを配置している。
エアーラインＡＬ／ＩＮの一端部は接続口ＰＳｆｒｉ◎／２に接続し、他方の一端部は大気開放部となっている。
エアーラインＡＬ／ＩＮは、前記圧力センサＰＳｆｒｉの接続口ＰＳｆｒｉ◎／２と前記接続口ＰＳｆｒｉ◎／ＡＬｍｃ／ＯＵＴを介して前記エアーラインＡＬｍｃ／ＯＵＴと連通する。
エアーラインＡＬ／ＩＮは途中にエアーバルブＡＶとエアーポンプＰＭＡを設けている。
エアーラインＡＬ／ＩＮは接続口ＰＳｆｒｉ◎／２とエアーバルブＡＶの間に圧力測定ラインＰＬを介して圧力センサＰＳｆｒｉを接続している。
【００２１】
図３において、気密試験を行うに際して、補液導入バルブＰＶｆｒiとエアーバルブＡＶを閉状態にして、補液導入ポンプＰＭｆｒｉを逆回転させると、補液導入回路Ｌｆｒｉの補液導入バルブＰＶｆｒiと補液導入ポンプＰＭｆｒｉの間、分岐ラインＴＬＴ、補液計量チャンバＭＣｆｒｉ、エアーラインＡＬｍｃ／ＯＵＴからエアーラインＡＬ／ＩＮのエアーバルブＡＶの配置位置までは陰圧となる。
正しい接続状態では、圧力センサＰＳｆｒｉまで、前記補液導入回路Ｌｆｒｉ、分岐ラインＴＬＴ、補液計量チャンバＭＣｆｒｉ、エアーラインＡＬｍｃ／ＯＵＴ及びエアーラインＡＬ／ＩＮ内の陰圧が伝わる。
【００２２】
ところが図４のように、ＴＰを配置したエアーラインＡＬｍｃ／ＯＵＴ側の接続口ＰＳｆｒｉ◎／ＡＬｍｃ／ＯＵＴとエアーラインＡＬ／ＩＮの接続口ＰＳｆｒｉ◎／２が外れていた場合、または図５のように、接続口ＰＳｆｒｉ◎／２と接続口ＰＳｆｒｉ◎／ＡＬｍｃ／ＯＵＴは正常に接続されているが、トランスデューサプロテクタＴＰ／ＡＬｍｃ／ＯＵＴが濡れていた場合はエアーラインＡＬｍｃ／ＯＵＴ側が閉塞して、前記陰圧が圧力センサＰＳｆｒｉまで伝わらない。
そこで前記のように、気密試験で圧力センサＰＳｆｒｉで圧力の変化が検出されなかった場合、以下のようにエアーラインＡＬ／ＩＮ側を陰圧にすることにより、トランスデューサプロテクタＴＰ／ＡＬｍｃ／ＯＵＴの濡れを検知することができる。
【００２３】
図４のように接続口ＰＳｆｒｉ◎／２と接続口ＰＳｆｒｉ◎／ＡＬｍｃ／ＯＵＴとが外れていた場合、図６に示すように、エアーポンプＰＭＡを、逆回転させて、エアーラインＡＬ／ＩＮ内を陰圧にしても、エアーラインＡＬ／ＩＮ内の気密が保たれていないので、圧力センサＰＳｆｒｉで、圧力の変動は見られない。（エアーポンプＰＭＡを、正回転させて、エアーラインＡＬ／ＩＮ内を陽圧にした場合も同様である。）
図５のように接続口ＰＳｆｒｉ◎／２と接続口ＰＳｆｒｉ◎／ＡＬｍｃ／ＯＵＴは正常に接続されているがＴＰが濡れていた場合、エアーラインＡＬｍｃ／ＯＵＴは濡れにより通気性を喪失して閉塞しているのでエアーの通過は阻止され、気密性が高くなる。
【００２４】
そこで図７に例示するように、
〈１〉補液導入バルブＰＶｆｒｉとエアーバルブＡＶはともに閉塞状態にして、補液導入ポンプＰＭｆｒｉを逆回転させることにより、ハウジング外側２ＯＵＴのエアーラインＡＬｍｃ／ＯＵＴからハウジング内側２ＩＮのエアーラインＡＬ／ＩＮのエアーポンプＰＭＡの配置位置までを陰圧とするステップ、
〈２〉前記圧力センサＰＳｆｒｉで圧力の変化が検出されなかった場合、エアーバルブＡＶを開放状態にして前記エアーポンプＰＭＡを逆回転させることにより、エアーラインＡＬ／ＩＮの補液圧力センサＰＳｆｒｉの接続口ＰＳ◎／２とエアーポンプＰＭＡの間までを陰圧とするステップ、      
〈３〉前記補液圧力センサＰＳｆｒｉで当該陰圧を検出することにより、トランスデューサプロテクタの濡れを確認するステップ、
以上の〈１〉から〈３〉を含むステップにより血液浄化装置のトランスデューサプロテクタの濡れを検知することができる。（エアーポンプＰＭＡを正回転させて、エアーラインＡＬ／ＩＮ内を陽圧にしても同様である。）
【００２５】
（Ａ）以上は回路Ｌ（補液導入回路Ｌｆｒｉ）の上流側に補液供給源ＦＲＳを接続し、回路Ｌの途中に補液計量チャンバＭＣｆｒｉを設けた血液浄化装置の例に説明したが、
（Ｂ）回路Ｌ（透析液導入回路）の上流側に透析液供給源を接続し、回路Ｌの途中に透析液計量チャンバを設けた血液浄化装置、
（Ｃ）回路Ｌ（ろ液送出回路）の途中に（廃棄する）ろ液の計量チャンバを設けた血液浄化装置、
（Ｄ）前記（Ａ）、（Ｂ）、（Ｃ）のいずれかの二つ以上の組み合わせ［補液計量チャンバは二個あっても良い］を有する血液浄化装置の場合も同様に、各ＴＰの濡れの確認
に適用できる。
【００２６】
また図８に示すようにその他の実施例の血液浄化装置２０１［回路Ｌ（血液導入回路Ｌｂｉ）の途中に血液ドリップチャンバＣｂｉを設け、血液ドリップチャンバＣｂｉにエアーラインＡＬｂｉを設けた例］にも、前記図１の血液浄化装置１、図３の血液浄化装置１０１と同様に本発明を適用（使用）することができる。
血液浄化装置２０１は、ハウジング２の外側２ＯＵＴは、血液導入回路Ｌｂｉを有し、血液導入回路Ｌｂｉは途中に上流側に血液導入ポンプＰＭｂｉと下流側に血液処理器ｂｔｒを設けている。血液導入ポンプＰＭｂｉと血液処理器ｂｔｒとの間に血液ドリップチャンバＣｂｉを設け、血液ドリップチャンバＣｂｉは、内部にトランスデューサプロテクタＴＰを配置したエアーラインＡＬｂｉ／ＯＵＴを設け、エアーラインＡＬｂｉ／ＯＵＴの一端部（血液導入回路Ｌｂｉと反対側の端部）に、圧力センサの接続口ＰＳｂｉ◎／ＡＬｂｉ／ＯＵＴを接続している。トランスデューサプロテクタＴＰ／ＡＬｂｉ／ＯＵＴは、エアーラインＡＬｂｉ／ＯＵＴの下流とセンサ接続口ＰＳ◎／ＡＬｂｉ／ＯＵＴとの間に配置している。
【００２７】
エアーラインＡＬｂｉ／ＯＵＴは圧力センサＰＳｂｉの接続口ＰＳｂｉ◎／ＡＬｂｉ／ＯＵＴを介してハウジング内側２ＩＮと連通している。
ハウジング２は圧力センサＰＳｂｉの接続口ＰＳｂｉ◎／２を有し、ハウジング２の内側２ＩＮにエアーラインＡＬ／ＩＮを有する。
エアーラインＡＬ／ＩＮの一端部は接続口ＰＳｂｉ◎／２に接続し、他方の一端部は大気開放部となっている。
エアーラインＡＬ／ＩＮは、前記圧力センサＰＳｂｉの接続口ＰＳｂｉ◎／２と前記接続口ＰＳｂｉ◎／ＡＬｂｉ／ＯＵＴを介して前記エアーラインＡＬｂｉ／ＯＵＴと連通する。
エアーラインＡＬ／ＩＮは途中にエアーバルブＡＶとエアーポンプＰＭＡを設けている。
エアーラインＡＬ／ＩＮは接続口ＰＳｂｉ◎／２とエアーバルブＡＶの間に圧力測定ラインＰＬを介して圧力センサＰＳｂｉを接続している。
【００２８】
図８に例示するように接続口ＰＳｂｉ◎／ＡＬｂｉ／ＯＵＴと接続口ＰＳｂｉ◎／２が外れていた場合、エアーポンプＰＭＡを、逆回転させて、エアーラインＡＬ／ＩＮ内を陰圧にしても、エアーラインＡＬ／ＩＮ内の気密が保たれていないので、圧力センサＰＳｂｉで、圧力の変動は見られない。（エアーポンプＰＭＡを、正回転させて、エアーラインＡＬ／ＩＮ内を陽圧にした場合も同様である。）
接続口ＰＳｂｉ◎／２と接続口ＰＳｂｉ◎／ＡＬｂｉ／ＯＵＴは正常に接続されているが、ＴＰが濡れていた場合、エアーラインＡＬｂｉ／ＯＵＴは濡れにより通気性を喪失して閉塞しているのでエアーの通過は阻止され、気密性が高くなる。
【００２９】
そこで、
〈１〉血液導入バルブＰＶｂｉとエアーバルブＡＶはともに閉塞状態にして、血液導入ポンプＰＭｂｉを逆回転させることにより、ハウジング外側２ＯＵＴのエアーラインＡＬｂｉ／ＯＵＴからハウジング内側２ＩＮのエアーラインＡＬ／ＩＮのエアーバルブＡＶの配置位置までを陰圧とするステップ、
〈２〉前記血液入口圧力センサＰＳｂｉで圧力の変化が検出されなかった場合、エアーバルブＡＶを開放状態にして前記エアーポンプＰＭＡを逆回転させることにより、エアーラインＡＬ／ＩＮの血液入口圧力センサＰＳｂｉの接続口ＰＳ◎／２とエアーポンプＰＭＡの間までを陰圧とするステップ、      
〈３〉前記血液入口圧力センサＰＳｂｉで当該陰圧を検出することにより、トランスデューサプロテクタＴＰ／ＡＬｂｉ／ＯＵＴの濡れを確認するステップ、
以上の〈１〉から〈３〉を含むステップにより血液浄化装置のトランスデューサプロテクタＴＰ／ＡＬｂｉ／ＯＵＴの濡れを検知することができる。（エアーポンプＰＭＡを正回転させて、エアーラインＡＬ内を陽圧にしても同様である。）
【００３０】
（Ｅ）以上は回路Ｌ（血液導入回路Ｌｂｉ）の途中に血液ドリップチャンバＣｂｉを設け、血液ドリップチャンバＣｂｉにエアーラインＡＬｂｉ／ＯＵＴを設けた血液浄化装置の例について説明したが、
（Ｆ）回路Ｌ（返血回路、ろ液送出回路）の途中に返血液ドリップチャンバ、ろ液ドリップチャンバを有する血液浄化装置の場合も同様に、各ＴＰの濡れの確認に適用できる。
（Ｇ）また前記（Ｅ）、（Ｆ）の各ドリップチャンバのいずれかの二つ以上のコンビネーションを有する血液浄化装置の場合も同様に、各ＴＰの濡れの確認に適用できる。
（Ｈ）また前記（Ａ）、（Ｂ）、（Ｃ）の計量チャンバと前記（Ｅ）、（Ｆ）の各チャンバのいずれかの二つ以上のコンビネーションを有する血液浄化装置の場合も同様に、各ＴＰの濡れの確認に適用できる。
【００３１】
さらに図９に示す一般的な持続的血液浄化法（ＣＨＤＦ）、緩徐式血液ろ過透析法、腹水濾過濃縮再静注法（ＣＡＲＴ／ＡＳＣＴ）に使用する血液浄化装置１について、ハウジング外側２ＯＵＴの各回路に圧力（陰圧または陽圧）を加えてＴＰの濡れを検知する方法について説明する。
本方法は圧力センサＰＳとして、血液入口圧力センサＰＳｂｉ、ろ過圧圧力センサＰＳｆｏ及び返血圧力センサＰＳｂｔｒの３種類と、各種のポンプ、すなわちエアーポンプＰＭＡと、送液ポンプＰＭとして、血液導入ポンプＰＭｂｉ、ろ液送出ポンプＰＭｆｏ、透析液導入ポンプＰＭｄｉ及び補液導入ポンプＰＭｆｒｉの４種類を使用し、さらにエアーバルブＡＶとして、ＡＶｂｉ、ＡＶｆｏ及びＡＶｂｔｒの３種類の開放状態をコントロールしてトランスデューサプロテクタＴＰ、すなわちＴＰ／ＡＬｂｉ／ＯＵＴ、ＴＰ／ＡＬｆｏ／ＯＵＴ、ＴＰ／ＡＬｂｔｒ／ＯＵＴの濡れを検知することができる。
【００３２】
血液浄化装置１は、ハウジング２の外側２ＯＵＴは、血液処理器ｂｔｒを配置し、血液処理器ｂｔｒの血液入口ｂｉに血液導入回路Ｌｂｉを接続している。
血液導入回路Ｌｂｉは上流側の途中に血液導入ポンプＰＭｂｉを配置している。
血液導入回路Ｌｂｉは血液導入ポンプＰＭｂｉと血液処理器ｂｔｒとの間に血液ドリップチャンバＣｂｉを配置し、血液ドリップチャンバＣｂｉは内部にトランスデューサプロテクタＴＰ／ＡＬｂｉ／ＯＵＴを配置したエアーラインＡＬｂｉ／ＯＵＴを接続している。
エアーラインＡＬｂｉ／ＯＵＴの一端部は圧力センサＰＳｂｉの接続口ＰＳｂｉ◎を接続している。トランスデューサプロテクタＴＰ／ＡＬｂｉ／ＯＵＴは、エアーラインＡＬｂｉ／ＯＵＴの下流と圧力センサＰＳｂｉの接続口ＰＳｂｉ◎との間に配置している。
【００３３】
エアーラインＡＬｂｉ／ＯＵＴは圧力センサＰＳｂｉの接続口ＰＳｂｉ◎を介してハウジング内側２ＩＮのエアーラインＡＬｂi／ＩＮと連通している。
エアーラインＡＬｂi／ＩＮの一端部は接続口ＰＳｂｉ◎に接続し、他方の一端部はエアーポンプＰＭＡ及びエアーラインＡＬａと連通している。エアーラインＡＬａの一端部は大気開放部となっている。
エアーラインＡＬｂｉ／ＩＮは、前記圧力センサＰＳｂｉの接続口ＰＳｂｉ◎を介して前記エアーラインＡＬｂｉ／ＯＵＴと連通している。エアーラインＡＬｂｉ／ＩＮは途中（下流側）にエアーバルブＡＶｂｉを配置している。
エアーラインＡＬｂｉ／ＩＮは接続口ＰＳｂｉ◎とエアーバルブＡＶｂｉの間に圧力測定ラインＰＬを介して圧力センサＰＳｂｉを接続している。
【００３４】
血液処理器ｂｔｒは血液出口ｂｏの下流に返血血液回路Ｌｂｔｒを接続し、返血血液回路Ｌｂｔｒは途中に返血液ドリップチャンバＣｂｔｒを配置し、当該返血液ドリップチャンバＣｂｔｒの下流に返血液バルブＰＶｂｔｒを配置している。    
返血液ドリップチャンバＣｂｔｒの上流に補液導入回路Ｌｆｒｉを接続し、補液導入回路Ｌｆｒｉの途中に補液導入ポンプＰＭｆｒｉを配置している。
返血液ドリップチャンバＣｂｔｒは下流にエアーラインＡＬｂｔｒ／ＯＵＴを接続し、エアーラインＡＬｂｔｒ／ＯＵＴは返血圧力センサの接続口ＰＳｂｔｒ◎を介して、ハウジング内側２ＩＮのエアーラインＡＬｂｔｒ／ＩＮと連通している。エアーラインＡＬｂｔｒ／ＩＮの一端部は圧力センサの接続口ＰＳｂｔｒ◎に接続し、他方の一端部は、前記エアーポンプＰＭＡ及びエアーラインＡＬａと連通している。
エアーラインＡＬｂｔｒ／ＩＮは途中（下流側）にエアーバルブＡＶｂｔｒを配置している。
トランスデューサプロテクタＴＰ／ＡＬｂｔｒ／ＯＵＴはエアーラインＡＬｂｔｒ／ＯＵＴの下流と圧力センサ接続口ＰＳｂｔｒ◎との間に配置している。
エアーラインＡＬｂｔｒ／ＩＮは接続口ＰＳｂｔｒ◎とエアーバルブＡＶｂｔｒの間に圧力測定ラインＰＬを介して圧力センサＰＳｂｔｒを接続している。
【００３５】
血液処理器ｂｔｒはろ液排出口ｆｏにろ液送出回路Ｌｆｏを接続し、ろ液送出回路Ｌｆｏの途中にろ液送出ポンプＰＭｆｏを配置している。
ろ液送出回路Ｌｆｏの途中にエアーラインＡＬｆｏ／ＯＵＴを接続し、エアーラインＡＬｆｏ／ＯＵＴの一端部は圧力センサの接続口ＰＳｆｏ◎を介してハウジング内側２ＩＮのエアーラインＡＬｆｏ／ＩＮと連通している。エアーラインＡＬｆｏ／ＩＮの一端部は圧力センサの接続口ＰＳｆｏ◎と接続し、他方の一端部は、前記エアーポンプＰＭＡ及びエアーラインＡＬａと連通している。
エアーラインＡＬｆｏ／ＩＮは途中（下流側）にエアーバルブＡＶｆｏを配置している。
トランスデューサプロテクタＴＰ／ＡＬｆｏ／ＯＵＴはエアーラインＡＬｆｏ／ＯＵＴの下流と圧力センサ接続口ＰＳｆｏ◎との間に配置している。
エアーラインＡＬｆｏ／ＩＮは接続口ＰＳｆｏ◎とエアーバルブＡＶｆｏの間に圧力測定ラインＰＬを介して圧力センサＰＳｆｏを接続している。
【００３６】
以下、ＴＰ／ＡＬｂｉの濡れを検知する場合の例を挙げて説明する。
使用する圧力センサは血液入口圧力ＰＳｂｉ、使用するポンプは透析液導入ＰＭｄｉとエアーポンプＰＭＡ、開閉の切り替えを行うエアーバルブはＡＶｂｉ、ＡＶｂｔｒである。
〈１〉図１０に示すように、血液導入ポンプＰＭｂｉ、ろ液送出ポンプＰＭｆｏ、透析液導入ポンプＰＭｄｉ及び補液導入ポンプＰＭｆｒｉを閉じ、さらに返血バルブＰＶｂｔｒを閉じて、ハウジング外側２ＯＵＴの各回路Ｌｂｉ、Ｌｂｔｒ、Ｌｆｒi、Ｌｆｏ、Ｌｄｉ及び各エアーラインＡＬｂｉ／ＯＵＴ、ＡＬｆｏ／ＯＵＴ、ＡＬｂｔｒ／ＯＵＴの通路を外部と遮断するステップ、
〈２〉ハウジング内側２ＩＮの各エアーバルブＡＶｂｉ、ＡＶｆｏ及びＡＶｂiを閉じて、ハウジング内側２ＩＮの各エアーラインＡＬｂi／ＩＮ、ＡＬｆｏ／ＩＮ、ＡＬｂｔｒ／ＩＮを外部と遮断するステップ、
【００３７】
〈３〉透析液導入ポンプＰＭｄｉを正または逆回転させて、前記外部と遮断したハウジング外側２ＯＵＴの各回路Ｌｂｉ、Ｌｂｔｒ、Ｌｆｒi、Ｌｆｏ、Ｌｄｉ、ＡＬｂｉ／ＯＵＴ、エアーラインＡＬｆｏ／ＯＵＴ、ＡＬｂｔｒ／ＯＵＴからハウジング内側２ＩＮの各エアーラインＡＬｂi／ＩＮ、ＡＬｆｏ／ＩＮ、ＡＬｂｔｒ／ＩＮ内を陽圧または陰圧とするステップ、
（１）透析液導入ポンプＰＭｄｉの配置位置から血液処理器ｂｔｒ、返血液ドリップチャンバＣｂｔｒを経て返血液バルブＰＶｂｔｒの配置位置までの間［以下、第１加圧吸引回路（１）、図１０の点線参照、以下（２）〜（５）も同じ］、
（２）（１）の返血液ドリップチャンバＣｂｔｒから補液導入ポンプＰＭｆｒｉの配置位置までの間［以下、第２加圧吸引回路（２）］、
（３）（１）の返血液ドリップチャンバＣｂｔｒからエアーバルブＡＶｂｔｒの配置位置までの間［以下、第３加圧吸引回路（３）］、
（４）（１）の血液処理器ｂｔｒからろ液送出ポンプＰＭｆｏの配置位置まで［以下、第４加圧吸引回路（４）］、
（５）（１）の血液処理器ｂｔｒからエアーバルブＡＶｆｏの配置位置までの間［以下、第５加圧吸引回路（５）］、
（６）（１）の血液処理器ｂｔｒから血液ドリップチャンバＣｂｉを経て血液導入ポンプＰＭｂｉの配置位置までの間［以下、第６加圧吸引回路（６）］、
（７）（６）の血液ドリップチャンバＣｂｉからエアーバルブＡＶｂｉの配置位置までの間［以下、第７加圧吸引回路（７）］、を陽圧または陰圧とするステップ、
【００３８】
〈４〉血液入口圧力センサＰＳｂｉで圧力の変化が検出されなかった場合、図１１に示すように、エアーバルブＡＶｂｉを開放状態にして、エアーポンプＰＭＡを正または逆回転させることにより、エアーラインＡＬｂｉ／ＩＮの血液入口圧力センサＰＳｂｉの接続口ＰＳｂｉ◎とエアーポンプＰＭＡの配置位置までを陽圧または陰圧とするステップ、
〈５〉前記血液入口圧力センサＰＳｂｉで当該陽圧または陰圧を検出することによりトランスデューサプロテクタＴＰ／ＡＬｂｉ／ＯＵＴの濡れを確認するステップ、
以上の〈１〉から〈５〉を含むステップにより血液浄化装置３０１のトランスデューサプロテクタＴＰ／ＡＬｂｉ／ＯＵＴの濡れを検知することができる。
【００３９】
なお圧力センサＰＳｂｉが陽圧または陰圧を検出しなければ、ＴＰ／ＡＬｂｉ／ＯＵＴが外れていることを確認することができる。
透析液導入ポンプＰＭｄｉに代えて、その他の血液導入ポンプＰＭｂｉ、ろ液送出ポンプＰＭｆｏ、補液導入ポンプＰＭｆｒｉのどれか１つを同様に使用することにより、同様にＴＰ／ＡＬｂｉ／ＯＵＴの濡れを検知することができる。すなわちＴＰ／ＡＬｂｉ／ＯＵＴの濡れを検出する方法は、本方法を含めて４通りの方法がある。
同様にＴＰ／ＡＬｆｏ／ＯＵＴの濡れを検知する場合も４通り、同様にＴＰ／Ｌｂｔｒ／ＯＵＴの濡れを検知する場合も４通りの方法がある。
【００４０】
要するに本方法は、
〈１〉４つの送液ポンプＰＭ（血液導入ポンプＰＭｂｉ、ろ液送出ポンプＰＭｆｏ、透析液導入ポンプＰＭｄｉ及び補液導入ポンプＰＭｆｒｉ）を閉じ、かつ送液バルブＰＶ（返血バルブＰＶｂｔｒ）を閉じて、ハウジング外側２ＯＵＴの各回路Ｌ（Ｌｂｉ、Ｌｂｔｒ、Ｌｆｒi、Ｌｆｏ、Ｌｄｉ）及び各エアーラインＡＬ（ＡＬｂｉ／ＯＵＴ、ＡＬｆｏ／ＯＵＴ、ＡＬｂｔｒ／ＯＵＴ）の通路を外部と遮断するステップ、
〈２〉ハウジング内側２ＩＮの各エアーバルブＡＶ（ＡＶｂｉ、ＡＶｆｏ、ＡＶｂｔｒ）を閉じて、ハウジング内側２ＩＮの各エアーラインＡＬ（ＡＬｂi／ＩＮ、ＡＬｆｏ／ＩＮ、ＡＬｂｔｒ／ＩＮ）を外部と遮断するステップ、
〈３〉各送液ポンプＰＭ（血液導入ポンプＰＭｂｉ、ろ液送出ポンプＰＭｆｏ、透析液導入ポンプＰＭｄｉ及び補液導入ポンプＰＭｆｒｉ）のうちから選ばれる一つのポンプを正または逆回転させて、前記外部と遮断したハウジング外側２ＯＵＴの各回路Ｌ（Ｌｂｉ、Ｌｂｔｒ、Ｌｆｒi、Ｌｆｏ、Ｌｄｉ）及び各エアーラインＡＬ（ＡＬｂｉ／ＯＵＴ、ＡＬｆｏ／ＯＵＴ、ＡＬｂｔｒ／ＯＵＴ）からハウジング内側２ＩＮの各エアーラインＡＬ（ＡＬｂi／ＩＮ、ＡＬｆｏ／ＩＮ、ＡＬｂｔｒ／ＩＮ）内を陽圧または陰圧とするステップ、
【００４１】
〈４〉各圧力センサＰＳ（血液入口圧力センサＰＳｂｉ、ろ過圧圧力センサＰＳｆｏ及び返血圧力センサＰＳｂｔｒ）の中から選ばれる１つの圧力センサＰＳ※で圧力の変化が検出されなかった場合、当該圧力の変化が検出されなかった圧力センサＰＳ※に隣接する前記各エアーバルブＡＶ（ＡＶｂｉ、ＡＶｆｏ、ＡＶｂｔｒの中から選ばれる１つ）を開放状態にして、エアーポンプＰＭＡを正または逆回転させることにより、
前記各回路Ｌ（Ｌｂｔｒ、Ｌｆｏ、Ｌｄｉ）及び各エアーラインＡＬ（ＡＬｂｉ／ＩＮ、ＡＬｆｏ／ＩＮ、ＡＬｂｔｒ／ＩＮ）と各センサＰＳ（ＰＳｂｉ、ＰＳｆｏ、ＰＳｂｔｒ）の接続口◎とエアーポンプＰＭＡの配置位置までを陽圧または陰圧とするステップ、
〈５〉前記圧力が検出されなかった圧力センサＰＳ※で当該陽圧または陰圧を検出することによりＴＰの濡れを確認するステップ、
以上の〈１〉から〈５〉を含むステップにより血液浄化装置３０１のトランスデューサプロテクタＴＰ（ＴＰ／ＡＬｂｉ／ＯＵＴ、ＴＰ／ＡＬｆｏ／ＯＵＴ、ＴＰ／ＡＬｂｔｒ／ＯＵＴの濡れを検知することができる。
【符号の説明】
【００４２】
１、１０１、２０１、３０１  血液浄化装置
ｂｔｒ    血液処理器
ｂｉ    血液入口
ｂｏ    血液出口  
ｄｉ    透析液入口
ｆｏ    ろ液排出口
ｆｒｉ  補液入口
２  ハウジング
２ＩＮ      ハウジング内側
２ＯＵＴ    ハウジング外側  
Ｌ  回路
Ｌｂｉ    血液導入回路
Ｌｆｒｉ  補液導入回路
Ｌｂｔｒ    返血液回路
Ｌｆｏ      ろ液送出回路
Ｌｄｉ      透析液導入回路
ＴＬＴ    分岐ライン
ＡＬ    エアーライン
ＡＬ／ＯＵＴ    エアーライン（ハウジング外側）
ＡＬ／ＩＮ      エアーライン（ハウジング内側）
ＡＬｍｃ  エアーライン（計量チャンバと連通）
ＡＬｂｉ    エアーライン（血液導入回路と連通）
ＡＬｆｏ    エアーライン（ろ液送出回路と連通）
ＡＬｂｉ    エアーライン（血液導入回路と連通）
ＡＬｂｔｒ  エアーライン（返血液回路と連通）
ＰＬ  圧力測定ライン
ＡＬａ  エアーライン
ＰＳ    圧力センサ
ＰＳｆｒｉ      補液圧力センサ
ＰＳｂｉ        血液入口圧圧力センサ
ＰＳｆｏ    ろ過圧圧力センサ
ＰＳｂｔｒ  返血圧力センサ
ＰＳ◎／ＡＬ／ＯＵＴ  圧力センサの接続口（エアーラインＡＬ／ＯＵＴ側）
ＰＳｆｒｉ◎／ＡＬｍｃ／ＯＵＴ    補液圧力センサの接続口（エアーラインＡＬｍｃ／ＯＵＴ側）
ＰＳｂｉ◎／ＡＬｂｉ／ＯＵＴ    血液入口圧力センサの接続口（エアーラインＡＬｂｉ／ＯＵＴ側）
ＰＳ◎／２、ＰＳｆｒｉ◎／２、ＰＳｂｉ◎／２  圧力センサの接続口（ハウジング２側）
ＰＳｆｏ◎    ろ過圧力センサ（ＰＳｆｏ）の接続口
ＰＳｂｉ◎    血液入口圧力センサ（ＰＳｂｉ）の接続口
ＰＳｂｔｒ◎   返血圧力センサ（返血圧ＰＳｂｒｔ）の接続口
ＰＶ    送液バルブ
ＰＶｆｒｉ  補液導入バルブ（補液導入回路に配置）
ＰＶｂｔｒ    返血液バルブ（返血液回路に配置）
ＡＶ      エアーバルブ
ＡＶｆｏ      エアーバルブ（エアーラインＡＬｆｏに配置）
ＡＶｂｉ      エアーバルブ（エアーラインＡＬｂiに配置）
ＡＶｂｔｒ    エアーバルブ（エアーラインＡＬｂｔｒに配置）
ＰＭ      送液ポンプ
ＰＭｂｉ    血液導入ポンプ
ＰＭｆｒｉ  補液導入ポンプ
ＰＭｆｏ    ろ液送出ポンプ
ＰＭｄｉ    透析液導入ポンプ
ＰＭＡ      エアーポンプ
Ｃｂｉ      血液ドリップチャンバ
Ｃｂｔｒ    返血液ドリップチャンバ
ＭＣｆｒｉ  補液計量チャンバ
ＴＰ  トランスデューサプロテクタ
ＴＰ／ＡＬ／ＯＵＴ  トランスデューサプロテクタ（エアーラインＡＬ／ＯＵＴ）に装着
ＴＰ／ＡＬｍｃ／ＯＵＴ  トランスデューサプロテクタ（エアーラインＡＬｍｃ／ＯＵＴ）に装着
ＴＰ／ＡＬｂｉ／ＯＵＴ  トランスデューサプロテクタ（エアーラインＡＬｂｉ／ＯＵＴ）に装着
ＴＰ／ＡＬｆｏ／ＯＵＴ  トランスデューサプロテクタ（エアーラインＡＬｆｏ／ＯＵＴ）に装着
ＴＰ／ＡＬｂｔｒ／ＯＵＴ  トランスデューサプロテクタ（エアーラインＡＬｂｔｒ／ＯＵＴ）に装着
【図１】
2018094368.tif 000003
【図２】
2018094368.tif 000004
【図３】
2018094368.tif 000005
【図４】
2018094368.tif 000006
【図５】
2018094368.tif 000007
【図６】
2018094368.tif 000008
【図７】
2018094368.tif 000009
【図８】
2018094368.tif 000010
【図９】
2018094368.tif 000011
【図１０】
2018094368.tif 000012
【図１１】
2018094368.tif 000013
【図１２】
2018094368.tif 000014
【図１３】
2018094368.tif 000015
【図１４】
2018094368.tif 000016